(57)【要約】  この発明は、固定側端子を含む固定側機器と可動側端子を含む可動側機器とが組み込まれて製作されるスイッチギヤにおいて、固定側端子の先端部は球面状に形成され、可動側端子の先端部は球面状に形成され、固定側端子および可動側端子の各先端部の円周上をまたいで所定の間隔で複数個配置され、球面状にそれぞれ形成された固定側接触部および可動側接触部がそれぞれ固定側端子および可動側端子と接触する導電性金属からなる接触子片と、接触子片の固定側に配置され、接触子片と固定側端子との接触圧を保持する固定側環状押圧体と、接触子片の可動側に配置され、接触子片と可動側端子との接触圧を保持する可動側環状押圧体とを設けたものである。
2013121626.tif 000002
【特許請求の範囲】
【請求項１】
固定側端子を含む固定側機器と可動側端子を含む可動側機器とはそれぞれ独立して製作され、それぞれの固定側機器と可動側機器とが組み込まれて製作されるスイッチギヤにおいて、前記固定側端子の先端部は球面状に形成され、前記可動側端子の先端部は球面状に形成され、前記固定側端子および前記可動側端子の各先端部の円周上をまたいで所定の間隔で複数個配置され、球面状にそれぞれ形成された固定側接触部および可動側接触部がそれぞれ前記固定側端子および前記可動側端子と接触する導電性金属からなる接触子片と、前記接触子片の固定側に配置され、前記接触子片と前記固定側端子との接触圧を保持する固定側環状押圧体と、前記接触子片の可動側に配置され、前記接触子片と前記可動側端子との接触圧を保持する可動側環状押圧体とを設けたことを特徴とするスイッチギヤ。
【請求項２】
前記固定側端子の球面状に形成された前記先端部と前記接触子片の球面状に形成された前記固定側接触部とが摺動し、前記可動側端子の球面状に形成された前記先端部と前記接触子片の球面状に形成された前記可動側接触部とが摺動することを特徴とする請求項１に記載のスイッチギヤ。
【請求項３】
前記接触子片の固定側の内周側に前記接触子片を保持する固定側保持体を設けたことを特徴とする請求項１または請求項２に記載のスイッチギヤ。
【請求項４】
前記固定側保持体は円板状に構成されたことを特徴とする請求項３に記載のスイッチギヤ。
【請求項５】
前記接触子片の可動側の内周側に前記接触子片を保持する可動側保持体を設けたことを特徴とする請求項１〜請求項４のいずれか1項に記載のスイッチギヤ。
【請求項６】
前記可動側保持体は環状に構成されたことを特徴とする請求項５に記載のスイッチギヤ。
【発明の詳細な説明】
【技術分野】
【０００１】
この発明は、例えば固定側端子を含む固定側機器と可動側端子を含む可動側機器とはそれぞれ独立して製作され、それぞれの固定側機器と可動側機器とが組み込まれて製作されるスイッチギヤに関するものである。
【背景技術】
【０００２】
従来のスイッチギヤは、固定接触部である固定側電極と、可動接触部である可動側電極が互いに対向して配設されている。可動側電極内には可動接触子が摺動自在に挿入されている。この可動接触子は直線的に移動して、固定側電極と可動側電極とを開閉するものである。【０００３】
可動接触子が可動側電極内に接しつつ直線的に固定側電極側に移動し、可動接触子を介して固定側電極と可動側電極とを直線的に接触されることにより、固定側電極と可動側電極間を電気的に接続させている。
【先行技術文献】
【特許文献】
【０００４】
【特許文献１】特開２０００−４０４４６号公報
【発明の概要】
【発明が解決しようとする課題】
【０００５】
上述した従来のスイッチギヤは、可動接触子が固定側電極に投入される時、両者に芯ずれがあると、可動接触子は傾斜した状態で投入動作を行うことになる。この結果、摺動する可動接触子と可動側電極との接触が不安定となる。【０００６】
電力需要が増大する近年、スイッチギヤには優れた信頼性が求められている。そのため従来では、可動接触子及び固定側電極には芯ずれが起きないよう、可動接触子と固定側電極との同軸度の位置合せを調整治具等で極めて高い精度で調整を行っている。しかしながら、このような緻密な調整作業は多大の時間を要し、コスト高騰の要因となっていた。【０００７】
この発明は、上記のような課題を解決するためになされたものであり、その目的は、簡単な構成で固定側端子と可動側端子との同軸度調整を省力化し、低コストの実現及び信頼性の向上を図ることができるスイッチギヤを提供するものである。
【課題を解決するための手段】
【０００８】
この発明に係わるスイッチギヤは、固定側端子を含む固定側機器と可動側端子を含む可動側機器とはそれぞれ独立して製作され、それぞれの固定側機器と可動側機器とが組み込まれて製作されるスイッチギヤにおいて、前記固定側端子の先端部は球面状に形成され、前記可動側端子の先端部は球面状に形成され、前記固定側端子および前記可動側端子の各先端部の円周上をまたいで所定の間隔で複数個配置され、球面状にそれぞれ形成された固定側接触部および可動側接触部がそれぞれ前記固定側端子および前記可動側端子と接触する導電性金属からなる接触子片と、前記接触子片の固定側に配置され、前記接触子片と前記固定側端子との接触圧を保持する固定側環状押圧体と、前記接触子片の可動側に配置され、前記接触子片と前記可動側端子との接触圧を保持する可動側環状押圧体とを設けたものである。
【発明の効果】
【０００９】
この発明に係わるスイッチギヤによれば、簡単な構成で固定側端子と可動側端子との同軸度調整を省力化し、低コストの実現及び信頼性の向上を図ることができるスイッチギヤを得ることができる。
【図面の簡単な説明】
【００１０】
【図１】この発明の実施の形態１に係わるスイッチギヤを示す側断面図である。
【図２】この発明の実施の形態１に係わるスイッチギヤの図１のＡ部を示す拡大図である。
【図３】この発明の実施の形態１に係わるスイッチギヤを示す図２のＢ−Ｂ線における断面図である。
【図４】この発明の実施の形態1に係わるスイッチギヤの接続状態を示す拡大図である。
【発明を実施するための形態】
【００１１】
実施の形態１．
以下、この発明の実施の形態１を図１〜図４に基づいて説明するが、各図において、同一、または相当部材、部位については同一符号を付して説明する。図１はこの発明の実施の形態１に係わるスイッチギヤを示す側断面図である。図２はこの発明の実施の形態１に係わるスイッチギヤの図１のＡ部を示す拡大図である。図３はこの発明の実施の形態１に係わるスイッチギヤを示す図２のＢ−Ｂ線における断面図である。図４はこの発明の実施の形態1に係わるスイッチギヤの接続状態を示す拡大図である。
【００１２】
図１において、１は例えばＳＦ６ガス、乾燥空気、窒素ガス、二酸化炭素などの絶縁性ガスが充填された容器内に電気機器容器２、高電圧導体とともに収納されるガス絶縁開閉器などの高電圧電気機器を備えた開閉装置の筐体であり、筐体１の前面側には開閉可能な外装バネル１ａが設けられている。２ａは電気機器容器２の矩形状の前方側板である。筐体１内の電気機器容器２の上部には線路側母線容器３と負荷側母線容器４が収容されている。
【００１３】
線路側母線容器３内には三相からなる線路側母線３ａが絶縁スペーサ３ｂを介して並行に配設され、紙面と直角方向に気密に貫通している。線路側母線３ａは母線側断路器５、接続導体６を介して電気機器容器２内に導かれている。
【００１４】
また、負荷側母線容器４内には三相からなる負荷側母線４ａが絶縁スペーサ４ｂを介して並行に配設され、紙面と直角方向に気密に貫通している。
【００１５】
電気機器容器２は例えばＳＦ６ガス、乾燥空気、窒素ガス、二酸化炭素などの絶縁性ガスが充填されて絶縁ガス雰囲気となっている。電気機器容器２内には、遮断器７、線路側断路器８等の主回路機器、接地開閉器１３、避雷器１４等の補助機器が収容されている。
【００１６】
線路側母線３ａから母線側断路器５を介して導入された主回路電力は、接続導体６から接続導体１５を経て電気機器容器２内の遮断器７に導かれる。この遮断器７から更に線路側断路器８に接続され、高電圧導体である主回路導体１６を経てケーブル終端接続部１７からケーブル１０を介して外部へ導出されている。また、主回路導体１６から分岐導体部１８を経て接地開閉器１３が接続されており、更に分岐導体部１９を経て避雷器１４が接続されている。
【００１７】
次に、主回路導体１６とケーブル終端接続部１７との接続部Ａについて図２および図３に基づいて説明する。
【００１８】
図２および図３において、２４はケーブル終端接続部１７側の固定側端子であり、先端部２４ａは球面状に形成されている。２５は主回路導体１６側の可動側端子であり、先端部２５ａは球面状に形成されている。
【００１９】
２６は固定側端子２４および可動側端子２５の各先端部２４ａ，２５ａの円周上をまたいで所定の間隔で複数個配置され、球面状にそれぞれ形成された固定側接触部２７および可動側接触部２８がそれぞれ固定側端子２４および可動側端子２５と接触する導電性金属からなる平板状の接触子片である。
【００２０】
接触子片２６は、固定側外周部に固定側係止部２６ａが形成され、可動側外周部に可動側係止部２６ｂが形成されている。接触子片２６の固定側係止部２６ａには接触子片２６の固定側接触部２７と固定側端子２４との接触圧を所定に保持するとともに接触子片２６を固定側端子２４に支持させる例えばコイルばねなどの固定側環状押圧体２９を設けている。接触子片２６の可動側係止部２６ｂには接触子片２６の可動側接触部２８と可動側端子２５との接触圧を所定に保持する例えばコイルばねなどの可動側環状押圧体３０を設けている。
【００２１】
このように、接触子片２６を固定側環状押圧体２９および可動側環状押圧体３０によって固定側端子２４および可動側端子２５に押圧することにより、接触子片２６を介して固定側端子２４と可動側端子２５間を電気的に接続している。
【００２２】
また、接触子片２６は、固定側端子２４の先端部２４ａ側の内周側に固定側係止溝２４ｃが形成され、可動側端子２５の先端部２５ａ側の内周側に可動側係止溝２４ｄが形成されている。接触子片２６の固定側係止溝２４ｃには複数の接触子片２６を保持する例えば円板状の固定側保持体３１が係合されており、接触子片２６の径方向の位置決めと支持を行っている。この固定側保持体３１の外周端部３１ａは接触子片２６間に位置するよう配置されており、接触子片２６の周方向の位置決めを行っている。
【００２３】
また、接触子片２６の可動側係止溝２４ｄには複数の接触子片２６を保持する例えば環状の可動側保持体３２が係合されており、接触子片２６の径方向の位置決めと支持を行っている。この可動側保持体３２の外周端部は図示しないが接触子片２６間に位置するよう配置されており、接触子片２６の周方向の位置決めを行っている。
【００２４】
次に動作について説明する。固定側端子２４を含む固定側機器と可動側端子２５を含む可動側機器とはそれぞれ独立して製作され、それぞれの固定側機器と可動側機器とが組み込まれてスイッチギヤが製作される。
【００２５】
固定側機器の固定側端子２４に可動側機器の可動側端子２５を接続するには、図２に示す矢印Ｐ方向に可動側端子２５を移動させ、可動側端子２５の球面状に形成された先端部２５ａを接触子片２６の球面状に形成された可動側接触部２８に接触させて所定位置まで移動させることにより、可動側環状押圧体３０によって接触子片２６が可動側端子２５に所定の押圧力で押圧される。固定側端子２４は固定側環状押圧体２９によって接触子片２６が固定側端子２４に所定の押圧力で押圧される。
【００２６】
したがって、接触子片２６が固定側環状押圧体２９および可動側環状押圧体３０によって固定側端子２４および可動側端子２５に所定の押圧力で押圧されているので、接触子片２６を介して固定側端子２４と可動側端子２５間を電気的に接続することができる。
【００２７】
ところで、固定側端子２４を含む固定側機器と可動側端子２５を含む可動側機器とはそれぞれ独立して製作されるので、それぞれの固定側機器と可動側機器とが組み込まれてスイッチギヤが製作されたとき、固定側機器の固定側端子２４の軸線位置と可動側機器の可動側端子２５の軸線位置とが製作誤差により上下方向あるいは左右方向に位置がズレてしまう。
【００２８】
上述した従来のものにおいては、可動側機器の可動側端子２５の軸線位置を固定側機器の固定側端子２４の軸線位置に合わすために多大の労力を使って調整しているが、この実施の形態においては、図４に示すように、固定側機器の固定側端子２４の軸線位置に対し、可動側端子２５の軸線位置が例えば下方側にＱだけズレた場合において、接触子片２６の球面状に形成された可動側接触部２８が球面状に形成された可動側端子２５の先端部２５ａの球面部と摺動して下方側に連動して傾斜する。可動側接触部２８と可動側端子２５とは可動側環状押圧体３０により所定の接触圧を保持される。
【００２９】
そして、可動側接触部２８の下方側への摺動に連動して接触子片２６の球面状に形成された固定側接触部２７が球面状に形成された固定側端子２４の先端部２４ａの球面部を摺動する。固定側接触部２７と固定側端子２４は固定側環状押圧体２９により所定の接触圧を保持される。
【００３０】
以上のように、固定側機器の固定側端子２４の軸線位置に対し、可動側端子２５の軸線位置が例えば下方側にＱだけズレていても、可動側機器の可動側端子２５を矢印Ｐ方向に移動させ、可動側端子２５の球面状に形成された先端部２５ａを接触子片２６の球面状に形成された可動側接触部２８に接触させて所定位置まで移動させることにより、接触子片２６の球面状に形成された可動側接触部２８が球面状に形成された可動側端子２５の先端部２５ａの球面部と摺動して下方側に連動して傾斜し、可動側接触部２８と可動側端子２５とは可動側環状押圧体３０により所定の接触圧を保持される。また、可動側接触部２８の下方側への摺動に連動して接触子片２６の球面状に形成された固定側接触部２７が球面状に形成された固定側端子２４の先端部２４ａの球面部を摺動し、固定側接触部２７と固定側端子２４は固定側環状押圧体２９により所定の接触圧を保持される。
【００３１】
したがって、固定側機器の固定側端子２４の軸線位置と可動側端子２５の軸線位置との同軸度調整を省力化することができ、低コストの実現及び信頼性の向上を図ることができるスイッチギヤを得ることができる。
【００３２】
また、上述した実施の形態においては、固定側保持体３１の外周端部３１ａが接触子片２６間に位置するよう配置され、接触子片２６の周方向の位置決めを行っている場合について述べたが、必ずしも固定側保持体３１の外周端部３１ａが接触子片２６間に位置しなくてもよい。さらに、固定側保持体３１は円板状の場合について述べたが、これに限定されるものではない。
【００３３】
また、上述した実施の形態においては、可動側保持体３２の外周端部が接触子片２６間に位置するよう配置され、接触子片２６の周方向の位置決めを行っている場合について述べたが、必ずしも可動側保持体３２の外周端部が接触子片２６間に位置しなくてもよい。さらに、可動側保持体３２は環状の場合について述べたが、これに限定されるものではない。
【００３４】
なお、この発明は、その発明の範囲内において、実施の形態を適宜、変形、省略することが可能である。
【産業上の利用可能性】
【００３５】
この発明は、簡単な構成で固定側端子と可動側端子との同軸度調整を省力化し、低コストの実現及び信頼性の向上を図ることができるスイッチギヤの実現に好適である。
【符号の説明】
【００３６】
２４  固定側端子
２４ａ  先端部
２５  可動側端子
２５ａ  先端部
２６  接触子片
２６ａ  固定側係止部
２６ｂ  可動側係止部
２６ｃ  固定側係止溝
２６ｄ  可動側係止溝
２７  固定側接触部
２８  可動側接触部
２９  固定側環状押圧体
３０  可動側環状押圧体
３１  固定側保持体
３２  可動側保持体
【図１】
2013121626.tif 000003
【図２】
2013121626.tif 000004
【図３】
2013121626.tif 000005
【図４】
2013121626.tif 000006
【手続補正書】
【提出日】平成27年2月19日(2015.2.19)
【手続補正１】
【補正対象書類名】特許請求の範囲
【補正対象項目名】全文
【補正方法】変更
【補正の内容】
【特許請求の範囲】
【請求項１】
固定側端子を含む固定側機器と可動側端子を含む可動側機器とはそれぞれ独立して製作され、それぞれの固定側機器と可動側機器とが組み込まれて製作されるスイッチギヤにおいて、前記固定側端子の先端部は球面状に形成され、前記可動側端子の先端部は球面状に形成されており、平板状に構成され、前記固定側端子の前記先端部と前記可動側端子の前記先端部との円周上をまたいで所定の間隔で複数個配置され、前記平板状の長手方向に球面状に形成された固定側接触部が前記固定側端子の球面状に形成された前記先端部と摺動して前記固定側端子と接触し、前記平板状の長手方向に球面状に形成された可動側接触部が前記可動側端子の球面状に形成された前記先端部と摺動して前記可動側端子と接触する導電性金属からなる接触子片と、前記接触子片の固定側外周部に設けた固定側係止部に配置され、前記接触子片と前記固定側端子との接触圧を保持する固定側環状押圧体と、前記接触子片の可動側外周部に設けた可動側係止部に配置され、前記接触子片と前記可動側端子との接触圧を保持する可動側環状押圧体とを設けたことを特徴とするスイッチギヤ。
【請求項２】
前記接触子片の固定側の内周側に前記接触子片を保持する固定側保持体を設けたことを特徴とする請求項１に記載のスイッチギヤ。
【請求項３】
前記固定側保持体は円板状に構成されたことを特徴とする請求項２に記載のスイッチギヤ。
【請求項４】
前記接触子片の可動側の内周側に前記接触子片を保持する可動側保持体を設けたことを特徴とする請求項１〜請求項３のいずれか１項に記載のスイッチギヤ。
【請求項５】
前記可動側保持体は環状に構成されたことを特徴とする請求項４に記載のスイッチギヤ。
【手続補正２】
【補正対象書類名】明細書
【補正対象項目名】０００８
【補正方法】変更
【補正の内容】
【０００８】
この発明に係わるスイッチギヤは、固定側端子を含む固定側機器と可動側端子を含む可動側機器とはそれぞれ独立して製作され、それぞれの固定側機器と可動側機器とが組み込まれて製作されるスイッチギヤにおいて、前記固定側端子の先端部は球面状に形成され、前記可動側端子の先端部は球面状に形成されており、平板状に構成され、前記固定側端子の前記先端部と前記可動側端子の前記先端部との円周上をまたいで所定の間隔で複数個配置され、前記平板状の長手方向に球面状に形成された固定側接触部が前記固定側端子の球面状に形成された前記先端部と摺動して前記固定側端子と接触し、前記平板状の長手方向に球面状に形成された可動側接触部が前記可動側端子の球面状に形成された前記先端部と摺動して前記可動側端子と接触する導電性金属からなる接触子片と、前記接触子片の固定側外周部に設けた固定側係止部に配置され、前記接触子片と前記固定側端子との接触圧を保持する固定側環状押圧体と、前記接触子片の可動側外周部に設けた可動側係止部に配置され、前記接触子片と前記可動側端子との接触圧を保持する可動側環状押圧体とを設けたものである。
【手続補正３】
【補正対象書類名】明細書
【補正対象項目名】００２２
【補正方法】変更
【補正の内容】
【００２２】
また、接触子片２６は、固定側端子２４の先端部２４ａ側の内周側に固定側係止溝２６ｃが形成され、可動側端子２５の先端部２５ａ側の内周側に可動側係止溝２６ｄが形成されている。接触子片２６の固定側係止溝２６ｃには複数の接触子片２６を保持する例えば円板状の固定側保持体３１が係合されており、接触子片２６の径方向の位置決めと支持を行っている。この固定側保持体３１の外周端部３１ａは接触子片２６間に位置するよう配置されており、接触子片２６の周方向の位置決めを行っている。
【手続補正４】
【補正対象書類名】明細書
【補正対象項目名】００２３
【補正方法】変更
【補正の内容】
【００２３】
また、接触子片２６の可動側係止溝２６ｄには複数の接触子片２６を保持する例えば環状の可動側保持体３２が係合されており、接触子片２６の径方向の位置決めと支持を行っている。この可動側保持体３２の外周端部は図示しないが接触子片２６間に位置するよう配置されており、接触子片２６の周方向の位置決めを行っている。
【国際調査報告】
2013121626.tif 000007
2013121626.tif 000008
2013121626.tif 000009
2013121626.tif 000010